(57)【要約】【課題】      同じサイズの台紙に、ハリスや幹糸の長さが異なった仕掛を係合させ得るようにすることによって、仕掛の種類によって形の異なった台紙を用意なければならないという、従来のものにみられた不便さを解消しようとするものである。【解決手段】  長尺状の板片を長手方向に沿って折り曲げ、表片の上方部に仕掛の針掛部を形成するとともに、裏片に折り返し可能な舌片を形成し、その舌片に段階的に折り曲げ部を形成し、折り曲げ部に、糸止め部を形成したことを特徴とる釣り用仕掛係合用台紙。【選択図】    図２                     
2005160347.tif 000002
【特許請求の範囲】
【請求項１】
長尺状の板片２を長手方向に沿って折り曲げ、表片２ａに針掛部４を形成するとともに、裏片２ｂに折り返し可能な舌片５を形成することによって、複数段にわたる糸止め部７を形成したことを特徴とする釣り用仕掛係合用台紙。
【発明の詳細な説明】
【技術分野】
【０００１】
この発明は、長いハリスを使用した魚釣り用仕掛を係合させるための台紙の改良に関するものである。
【背景技術】
【０００２】
幹糸から複数の枝針を延出させた構成の釣り用仕掛を販売するに際しては、仕掛全体を台紙に係合させた状態とした後、透明の袋体に収容した形でなされるのが普通であるが、従来使用されている台紙は、長方形の台紙の上方位置に、釣り針を掛け止める針掛板を取り付けるとともに、台紙の下端部に糸止め部を形成した構成となっており、仕掛を係合させるに際しては、各釣り針を針掛板に順次掛け止めた後、幹糸を台紙の下方側に導いて糸止部に挟み入れて固定するという方法で行なわれているのである。
【０００３】
しかし、釣りに使用する仕掛は、対象魚の種類や大きさ等から、針の大きさやハリスの長さや幹糸の間隔が異なっており、特に、ハリスや幹糸の長さは、仕掛の種類によって大きく違った構成となっており、そのような仕掛を従来のような構成の台紙に係合させて販売しようとすると、仕掛の種類によって大きさの異なった台紙や包装袋を用意しなければならず、製造効率を悪くして、製品における台紙の占めるコストを引き上げることになるのである。
【発明の開示】
【発明が解決しようとする課題】
【０００４】
この発明は、同じサイズの台紙に、ハリスや幹糸の長さが異なった仕掛を係合させ得るようにすることによって、仕掛の種類によって形の異なった台紙を用意しなければならないという、従来のものにみられた欠点を除去しようとするものである。
【課題を解決するための手段】
【０００５】
この発明は、幹糸から長いハリスを使用した魚釣り用仕掛を係合させるための台紙に関するものであって、長尺状の板片を長手方向に沿って折り曲げ、表片の上方部に仕掛の針掛部を形成するとともに、裏片に、折り返し可能な舌片を形成し、その舌片に段階的に折り曲げ部を形成し、折り曲げ部に、糸止め部を形成した構成となっているのである。
【発明の効果】
【０００６】
この発明は、長いハリスを使用した魚釣り用仕掛を係合させるための台紙にあって、長手方向に沿って二つ折にし、表片の上方部に仕掛の針掛部を形成するとともに、裏片に、折り返し可能な舌片を形成し、その舌片に段階的に折り曲げ部を形成し、折り曲げ部に、幹糸やハリスを係合させる糸止め部を形成した構成となっているため、折り曲げ個所を変えることによって、針掛部から糸止め個所までの長さを変える事が可能となり、幹糸やハリスの長さの異なった種々の仕掛に対応させ得ることができ、従来のものにみられたように、仕掛ごとに専用の台紙を用意しなければならないという不便さを解消し得るという利点があるのである。
【０００７】
また、長尺状の板片の表片と裏片を２枚重ねて使用するため、台紙に腰ができて強くなり、仕掛を引き抜いて取り出す時にも台紙にたわみを生じさせることがなく、仕掛をスムーズに取り出すことが出来るという利点があるのである。
【実施例】
【０００８】
図面にもとづいて、この発明の実施例を説明すると、台紙本体１は、図１乃至図５に示すとおり、細長状の板片２の長手方向中心部に折り曲げ部８を形成し、その折り曲げ部８に沿って二つ折りにできる構成となっており、表片２ａの上方部に針掛部４を形成するとともに、裏片２ｂに切り込み線１３を入れることによって、上方を向いた形の舌片５を形成し、その舌辺５に段階的に折り曲げ部６を形成し、それぞれの折り曲げ部６に、糸止め部７を形成した構成となっているのである。
【０００９】
すなわち、板片２は、細長状の紙片の縦方向中心部に折り曲げ部８を形成し、その折り曲げ部８に沿って折り曲げることによって重合させ得る構成となっており、表片２ａの上方位置に、釣り針１０を掛け止め得る凹部を形成した針掛け片９の両側部を差し入れ得る切り込み部１２、１２を形成し、該切り込み部１２、１２に、針掛け片９の両側部を差し入れて固定することによって、表片２ａの上方部に針掛部４を形成した構成となっているのである。
【００１０】
裏片２ｂは、板面の両側部と、上横部に切り込み線１３・１３・１３を形成することによって、上方を向いた形の舌片５が形成されており、また、舌片５には、中程位置と下方側位置に横方向に配置した折り曲げ部６・６が形成されており、また、舌片５の上縁部と、折り曲げ線６部分に切り込み線を形成することによって、段階的に糸止め部７が形成された構成となっているのである。
【００１１】
この発明にかかる台紙本体１は、上記のような構成であって、釣り用仕掛を係合させるに際しては、次の要領により行なわれるのである。
釣り用仕掛は、幹糸の長い構成のものや幹糸の短いもの等、種々のものが存在するのであるが、長い幹糸のものを係合させる場合には、図３に示すように、舌片５を折り曲げることなく、表片２ａと裏片２ｂとが重なった状態になるよにう折り曲げ、釣り針１０を針掛け部４に掛け止めた後、幹糸１４を裏片２ｂの裏側に導き、幹糸１４を糸止め部７に差し入れて固定するという操作を順次繰り返すという方法によって行なわれるのである。
また、幹糸が短い構成のものを係合させる場合には、図４、あるいは図５に示すように、舌片５の中程位置に形成した折り曲げ部６から舌片５を折り曲げた状態とし、釣り針１０を針掛け部４に掛け止めた後、幹糸１４を裏片２ｂの裏側に導き、幹糸１４を糸止め部７に差し入れて固定するという操作を順次繰り返すという方法によって行なわれるのである。また、所定の寸法が決まれば折り曲げ部６・６部を切り取り、そこに幹糸１４を係合する事も可能である。
【図面の簡単な説明】
【００１２】
【図１】台紙に仕掛を係合させた状態を示す斜視図である。
【図２】台紙の構成を示す斜視図である。
【図３】仕掛の構成を示す斜視図である。
【図４】仕掛の構成を示す斜視図である。
【図５】仕掛の構成を示す斜視図である。
【図６】仕掛の構成を示す斜視図である。
【図７】仕掛の係合要領を示す斜視図である。
【符号の説明】
【００１３】
１    台紙本体
２    板片
２ａ  表片
２ｂ  裏片
４    針掛部
５    舌片
６    折り曲げ部
７    糸止め部
【図１】
2005160347.tif 000003
【図２】
2005160347.tif 000004
【図３】
2005160347.tif 000005
【図４】
2005160347.tif 000006
【図５】
2005160347.tif 000007
【図６】
2005160347.tif 000008
【図７】
2005160347.tif 000009